(57)【要約】    【課題】  電気療法用装置において、それ自体公知の効果を改善する。    【解決手段】  一連の電圧パルスを発生するための端子を有した回路配置と、治療されるべき身体の一部に上記電圧パルスを適用するための２つの電極とを備えて成る電気療法用装置にして、上記２つの電極の一方が、相対的に高い境界抵抗の表面を有し、他方の電極が人間の皮膚に対し相対的に低い境界抵抗を有しており、高い境界抵抗の表面を有した電極が、上記身体の治療部分上を可動であり、上記表面がプラスチックフィルムであって、１〜６００Ｖの電圧で連続するパルスが発生し、マイクロアンペア範囲での電流が人間組織に生じるような装置において、オプトカプラーによって起動させられる複数のサイリスター（Ｎ１〜Ｎ４）を有する急速放電回路（Ｅ）を備える。【選択図】    図１
2005144178.tif 000002
【特許請求の範囲】
【請求項１】
一連の電圧パルス発生のための端子を有した回路配置と、治療されるべき身体の一部に上記電圧パルスを適用するための２つの電極とを備えて成る電気療法用装置にして、上記２つの電極の一方が、相対的に高い境界抵抗の表面を有し、他方の電極が人間の皮膚に対し相対的に低い境界抵抗を有しており、高い境界抵抗の表面を有した電極が、上記身体の治療部分上を可動であり、上記表面がプラスチックフィルムであって、１〜６００Ｖの電圧で連続するパルスが発生し、マイクロアンペア範囲での電流が人間組織に生じるような装置において、
オプトカプラーによって起動させられる複数のサイリスター（Ｎ１〜Ｎ４）を有する急速放電回路（Ｅ）が備えられることを特徴とする装置。
【請求項２】
上記端子が連続的な又は任意抽出された周波数帯域を生じることを特徴とする請求項１に記載の装置。
【請求項３】
足で操作するスイッチ（４）が作業パラメータ、例えば周波数、振幅などの切り換えのために備えられることを特徴とする請求項１に記載の装置。
【請求項４】
５〜２５０Ｈｚ、好ましくは約１００Ｈｚの基礎周波数に１〜３０Ｈｚの周波数を重量することを特徴とする請求項１に記載の装置。
【請求項５】
一方で比較的高い境界抵抗の電極（１５）を、他方で低い境界抵抗の金属電極（２１）を有する電極配置が備えられることを特徴とする請求項１に記載の装置。
【請求項６】
上記金属電極（２１）が機械的にカバーされ得るか電気的にスイッチオフされ得ることを特徴とする請求項５に記載の装置。
【請求項７】
上記比較的高い境界抵抗の電極（１５）がハンドル（１６）を備え、その中に比較的低い境界抵抗の電極（２１）を挿入可能であることを特徴とする請求項５に記載の装置。
【請求項８】
バネバスケット型プラグ（２０）が上記比較的低い境界抵抗の電極（２１）に取り付けられており、バネバスケット型プラブ（２０）が電極配置の上記ハンドル（１６）の対応スリーブ（１７）内に挿入可能であることを特徴とする請求項７に記載の装置。
【請求項９】
上記比較的低い境界抵抗の電極（２１）は導電性フォーム層（２２）を上面に備えた金属電極板（２１）を有し、当該フォーム層はプラスチックフィルム（２４）、特にビニルフィルムによって覆われ、ヒドロゲル円板（２３）がフォーム層（２２）とプラスチックフィルム（２４）の間に挿入されることを特徴とする請求項１に記載の装置。
【発明の詳細な説明】
【技術分野】
【０００１】
本発明は、電気療法のための装置、特に一連の電圧パルス発生のための端子を有した回路配置と、治療されるべき身体の一部に上記電圧パルスを適用するための２つの電極とを備えて成る電気療法用装置に関する。上記２つの電極の一方は、相対的に高い境界抵抗の表面を有し、他方の電極は人間の皮膚に対し相対的に低い境界抵抗を有する。高い境界抵抗の表面を有した電極は、治療されるべき身体の部分にわたって可動であり、上記表面はプラスチックフィルムである。１〜６００Ｖの電圧で連続するパルスが発生し、マイクロアンペア範囲での電流が組織に生じる。
【背景技術】
【０００２】
一般的タイプの装置は特許文献１から公知である。
一般的タイプの装置は、非常に低いアンペア数の、即ち、マイクロアンペア範囲での電流が人間組織内を流れることを助ける。これは少なくとも１つの電極の高い境界抵抗に起因し、電流リミッターは標準から逸脱する場合すら、例えば周囲の高い水分含有量すら、使用された比較的高い電圧によってもたらされる治療された人間にとってのリスクを排除する。
【０００３】
身体の治療部分に適用されるパルス列は、刺激周波数に対応して周期的に組織でのマッサージ効果を調整する。これによって、リンパ、過剰酸性化された筋肉、打ち身などに関する非常に効率的なうっ血緩和（消炎）効果が結合組織の自立再生により達成され。即ち、組織における集中の積み重ねが遮られる。
【０００４】
一般的タイプの物理治療装置の効能は、内因性の調節に基づいている。治療される人間並びに治療専門家は身体脈拍又は振動を注視するのみである。更に、この種の刺激は、純粋に機械的な刺激によって実施され難い周波数を用いることができる。振動運動の力学の正確な制御が、対応するパルスパターンの刺激によって可能である。
【０００５】
そのような装置の効能が依存する効果は特に、Johnson-Raabeck効果に類似した現象の理由によって、治療専門家の手袋又は彼が動かす電極と治療組織との間の摩擦力の周期的な変化に基づいている。電極の一つの、即ち、動く電極の半導体タイプ挙動はこの効果の発生にとり決定的に重要である。
【０００６】
治療専門家の手と患者の体との間の脈動する電場によって、脈動する静電気吸引を生じ、それゆえに脈動する摩擦力を生じる。これによって結局、相当の脈動する組織変形すら生じる。
【０００７】
【特許文献１】ＤＥ ３７ １６ ８１６ Ｃ２
【発明の開示】
【発明が解決しようとする課題】
【０００８】
本発明の目的は、非常に上出来なことが立証された一般的タイプの電気療法用装置の、それ自体公知の効果を改善することにある。
【課題を解決するための手段】
【０００９】
この目的は、急速放電回路（rapid-discharge circuit）を備えることによって、達成される。
一般的タイプの装置において、高い境界抵抗の電極の自己放電欠如のために必要な急速放電回路を備えることは、それ自体公知であった。本発明によれば、自己放電回路はオプトカプラー（optocouplers）によって起動させられる複数のサイリスターの含有のために具現化される。このようにして、薄い皮膜のその後の分極に反対作用する相次ぐプラスのパルスとマイナスのパルスを発生することが可能である。とりわけ、このようにして、治療効率を明らかに増加することになるより高い電圧周波数を発生することが可能である。
【００１０】
刺激電流装置において、そのような回路は、普通一般にはリレーの助けによって生成される２相パルスの発生のために好都合に使用可能である。
本発明の他の実施態様において、１００Ｈｚの大きさオーダーにおける基礎周波数に１〜１０Ｈｚの大きさオーダーにおける周波数を付け加えることが想定される。
【００１１】
一般的タイプの装置において、パルス周波数調節を実行することはそれ自体公知であったが、従来技術の装置は３０Ｈｚの基礎周波数に基づいている。
これとは対照的に本発明は、比較的強く異なる付加された周波数によって、例えば１００のファクター（因子、係数）の大きさオーダーによって特に高い効率を得ることができることを見出した。したがって、一方で例えば１２０Ｈｚの比較的高い周波数を、他方で１Ｈｚの比較的低い周波数を使用することが可能である。
【００１２】
リンパ共振振動に対応して、高めの基礎周波数は、その揺さぶり（whirl-up, Aufwuehlen）によってたんぱく質のようなリンパ搬送負荷を搬送可能とするか、再び搬送可能とさせる一方で、所謂バースト周波数（burst frequency）のような低めの周波数は、リンパ脈管運動（motoricity, Angiomotorik）を、それゆえにリンパ系を介した排出を刺激する。
【００１３】
連続的な又は任意抽出された周波数帯域が望ましくは用いられ、様々な組織・繊維構造の刺激を確保する。
治療専門家が両手を必要とする、例えば、２本の手袋電極で作業する場合や自己治療の場合にすら、足で操作するスイッチならば、作業パラメータ、例えば周波数の切り換えを可能にでき、有利である。
【００１４】
本発明に係る装置はまた、一方で患者の皮膚上で動かされる比較的高い境界抵抗の電極を、他方で低い境界抵抗の金属電極を有する電極配置を備えて成っている。上記金属電極は機械的にカバーされるか電気的にスイッチオフされ得、自己治療の場合や当該金属電極を保持するか動かす際に人の手で触る場合にのみ選択的に作動する。
【００１５】
上記電極配置はハンドルを備え、この中に高抵抗電極を取り外し可能に挿入可能である。
これに関して、高抵抗電極がハンドルの対応スリーブ内への挿入のためにバネバスケット型プラグを備えているのが有利である。
【００１６】
高抵抗電極の電極板は、導電性フォーム材料によって覆われ、当該材料は好ましくはビニルベースのプラスチックフィルムによって覆われ；本発明によれば、ヒドロゲル円板がフォーム材料とプラスチックフィルムの間に挿入され、所望効果の優れた実現を確保する。
【発明を実施するための最良の形態】
【００１７】
本発明の詳細は図面に関連した好適な実施形態の以下の記載から明らかとなろう。
図１に示された回路配置はマイクロプロセッサーシステム１を備え、これはディスプレイ・制御ユニット２、電圧供給部３及び足操作スイッチ４に接続している。
【００１８】
変圧器Ｓを介して、マイクロプロセッサーシステム１の第１出力部５が本発明に係る極反転・放電回路（pole reversal and discharge circuit）Ｅに接続され、第２出力部６は当該回路Ｅに直接接続され、第３出力部７は制御可能な安定化電源８に接続される。当該安定化電源に、極反転・放電回路Ｅの出力部９がかかっている。
【００１９】
接触部１２，１３を介して出力部１０，１１が患者に、あるいはブロック図においては患者相当回路１４に接続されている。
図１の下部右側に出力部１０，１１での部分変更可能な位相のパルスと周波数を示し、基礎パルスが上端にプロットされ、所謂バースト（bursts）が下方にプロットされている。
【００２０】
極反転・放電回路Ｅは、４つの回路要素Ｎ１〜Ｎ４から成り、各々はオプトカプラーによって起動するサイリスターを有する。
図２は本発明に係る電極１５を示す。当該電極は人間工学に即した形状のシリコンハンドル１６を備えて成り、その中に止め輪１８によって固定された接触スリーブ１７が配されている。当該接触スリーブ１７は、図面上には図示していない図１の回路配置の出力部若しくは接触部１２，１３に接続可能である。
【００２１】
接触スリーブ１７の開いた底端部１９内に、金属電極板２１に接続されたバネバスケット型プラグ２０が挿入可能である。このようにして電極板２１がシリコンハンドル１６の底端部に固定可能である。
【００２２】
電極板２１の真下に導電性フォーム層２２が備えられ、その真下にヒドロゲル円板２３が備えられ、ビニルフィルム２４が全体配置にわたって広がり、クランプリング２５によって固定されている。
【図面の簡単な説明】
【００２３】
【図１】本発明に係る電気療法用装置のブロック図である。
【図２】本発明に係る電極配置の長手方向断面図である。
【符号の説明】
【００２４】
１  マイクロプロセッサーシステム
２  ディスプレイ・制御ユニット
３  電圧供給部
４  足操作スイッチ
５  第１出力部
６  第２出力部
７  第３出力部
８  安定化電源
１０，１１  出力部
１２，１３  接触部
１５  電極
１６  ハンドル
１７  接触スリーブ
１８  止め輪
２０  プラグ
２１  金属電極板
【図１】
2005144178.tif 000003
【図２】
2005144178.tif 000004